(57)【特許請求の範囲】
【請求項１】
内部が、冷媒と室内空気とを熱交換させる室内熱交換器及び該室内熱交換器を介して室内空気を循環させるクロスフローファンが収納される作用室と、該クロスフローファンのモータ及び該モータを駆動制御する制御部が収納される駆動室とに略区画され、かつ、室内の壁に取付けられた据付板の係合爪と係合して据付けられる室内機を有した空気調和機において、
前記室内機の背面に形成されると共に、少なくとも１つが前記作用室と駆動室との境界領域の作用室側に形成されて、前記室内機の筐体強度を補強するリブと、
該リブの上端部に形成されて、前記据付板の係合爪と係合する係合穴とを有し、
前記室内機が、前記室内熱交換器からの配管が挿通される挿通部と、該室内機の上面パネルに形成されて前記挿通部の蓋をなし、該蓋を横切るようにして前記配管が前記挿通部に差込まれる蓋部とからなる配管挿通部を有し、かつ、該配管挿通部が前記作用室と駆動室との境界領域に設けられると共に、前記リブが前記蓋部の前記作用室側端部位置に設けられていることを特徴とする空気調和機。
【発明の詳細な説明】
【０００１】
【発明の属する技術分野】
本発明は、据付板の係合爪に室内機の係合穴を容易に係合させることができるようにした空気調和機に関する。
【０００２】
【従来の技術】
今日、一般家庭においてエアコンと称される空気調和機が広く普及し、その中でも室外に配設される室外機と室内に配設される室内機とに分離された分離型空気調和機が一般的である。
【０００３】
図６はかかる室内機１１０の断面図で、室内機１１０は、冷媒と室内空気とを熱交換させる室内熱交換器１１１、室内空気を室内熱交換器１１１を介して循環させる図示しないモータを備えたクロスフローファン１１２、モータ等に電力を供給すると共にこれらを制御する図示しない制御部等を有している。
【０００４】
なお、モータや制御部等は、室内機１１０の左右どちらかの端部にまとめて配設されて、効率的に室内機１１０内の空間が利用できるように形成されると共に当該室内機１１０の小型化等を図っている。
【０００５】
そして、室内機１１０の背面には係合穴１１３が設けられて、この係合穴１１３を室内の壁１１６に取付けられた据付板１１４の係合爪１１５に係合することにより当該室内機１１０を室内の壁１１６に据付けられるようになっている。
【０００６】
図７は、室内機１１０を据付板１１４に据付ける際の位置関係を示した図で、図中点線は室内機１１０を示している。同図からわかるように据付板１１４は室内の壁１１６であって、天井及び横壁に近接して取付けられている。
【０００７】
このような構成で、室内空気は、クロスフローファン１１２により吸気口１１７から室内機１１０内に吸気され、室内熱交換器１１１を経ることにより空気調和された後、吐出口１１８から再度室内に吹出される。
【０００８】
【発明が解決しようとする課題】
しかしながら、上記構成では、モータや制御部が室内機１１０の端部にまとめて配設され（室内機１１０の中心位置と重心位置とがずれている）、また据付板１１４の横幅が、部材コストの削減等の理由から室内機１１０より狭く形成されているため、室内機１１０の係合穴１１３を据付板１１４の係合爪１１５に挿入することが困難になる問題があった。
【０００９】
即ち、据付板１１４の横幅は室内機１１０より狭いので、室内機１１０を据付板１１４に据付る際は、係合穴１１３と係合爪１１５との位置関係を確認することができない。
【００１０】
従って、係合穴１１３を係合爪１１５に挿入する際には、据付板１１４が見えない状態で、室内機１１０を略天井に接するまで水平に持上げなければならない。
【００１１】
このとき室内機１１０が不用意に前後に傾いたりしないようにするため当該室内機１１０の下端コーナ２カ所を両手でしっかりと把持し、また水平を保つため左右の持上力を調整して水平バランスを保つ必要がある。
【００１２】
室内機１１０の横幅は、略１ｍあるので、室内機１１０の下端コーナを両手で把持すると、作業者は両手を左右に広げた状態となり、作業者の身体と室内機１１０の中心位置とが略一致した状態になる。
【００１３】
このような状態で室内機１１０を据付ける際は、室内機１１０の水平バランスを維持することに神経が集中しがちになるため、係合穴１１３を係合爪１１５に位置合わせして挿入することが困難になる。
【００１４】
無論、係合穴１１３の位置を室内機１１０の上端コーナー近傍に設けることも可能であるが、この場合には据付板１１４も大きくならざるを得ないので部材コストが高ついてしまうと共に、コーナー近傍には強度補強用のリブ等が設けられていないのでかかる場所に係合穴１１３を設けることは筐体の強度の観点から好ましくない。
【００１５】
また、係合穴１１３の位置を室内機１１０の上端コーナーに設けると、横から係合穴１１３等が見えて意匠的にも好ましくない。
【００１６】
そこで、本発明は、据付板を大きくすることなく、強度的に強い位置であって意匠的にも好ましい位置に係合穴を設け、かつ、容易に室内機を据付板に据付けることができるようにした空気調和機を提供することを目的とする。
【００１７】
【課題を解決するための手段】
上記課題を解決するため、請求項１にかかる発明は、内部が、冷媒と室内空気とを熱交換させる室内熱交換器及び該室内熱交換器を介して室内空気を循環させるクロスフローファンが収納される作用室と、該クロスフローファンのモータ及び該モータを駆動制御する制御部が収納される駆動室とに略区画され、かつ、室内の壁に取付けられた据付板の係合爪と係合して据付けられる室内機を有した空気調和機において、室内機の背面に形成されると共に、少なくとも１つが作用室と駆動室との境界領域の作用室側に形成されて、室内機の筐体強度を補強するリブと、該リブの上端部に形成されて、据付板の係合爪と係合する係合穴とを有し、室内機が、室内熱交換器からの配管が挿通される挿通部と、該室内機の上面パネルに形成されて挿通部の蓋をなし、該蓋を横切るようにして配管が挿通部に差込まれる蓋部とからなる配管挿通部を有し、かつ、該配管挿通部が作用室と駆動室との境界領域に設けられると共に、リブが蓋部の作用室側端部位置に設けられて、室内機の据付け作業時に係合穴の位置がわかるようにして、据付板を大きくすることなく、強度的に強い位置であって意匠的にも好ましい位置に係合穴を設け、かつ、容易に室内機を据付板に据付けることができるようにしたことを特徴とする。
【００１９】
【発明の実施の形態】
本発明の実施の形態を図を参照して説明する。図１は室内機１０の正面図を示し、図２はその断面図を示している。
【００２０】
室内機１０は、冷媒と室内空気とを熱交換させる室内熱交換器である冷却用熱交換器１１ａ、温水と室内空気とを熱交換させる加熱用熱交換器１１ｂ、室内空気を冷却用熱交換器１１ａや加熱用熱交換器１１ｂを介して循環させるクロスフローファン１２、該クロスフローファン１２の図示しないモータや圧縮機等を駆動制御する制御部等により構成されている。
【００２１】
なお、冷却用熱交換器１１ａには冷媒配管１３が、また加熱用熱交換器１１ｂには温水配管１４が予め接続されて（図４参照）、これらの配管１３，１４が配管挿通部１５から室内機１０の背面に取出されて（図３参照）、図示しない室外機や熱源器からの冷媒配管１３及び温水配管１４と接続されるようになっている。
【００２２】
図３は室内機１０の筐体正面図、図４はかかる室内機１０の背面図、図５は室内機と据付板３０との位置関係を示す背面図である。なお、図３では、冷却用熱交換器１１ａ、クロスフローファン１２、制御部等の収納物は全て取除いて示している。
【００２３】
これらの図からわかるように、筐体１６内はクロスフローファン１２や冷却用熱交換器１１ａ等が配設される作用室２０と、モータや制御部が配設される駆動室２１とに概略区分けすることができ、この作用室２０と駆動室２１との境界領域に配管挿通部１５が形成されている。
【００２４】
配管挿通部１５は、筐体１６の上面パネル１７の一部を蓋にした蓋部１８と配管１３，１４が挿通される挿通部１９により形成されている。
【００２５】
上述したように冷却用熱交換器１１ａには冷媒配管１３が、加熱用熱交換器１１ｂには温水配管１４が予め接続されて、これらは適度にフレキシブルな部材により形成されているが、これらの配管１３，１４を捻ったり過度に曲げたりすることはできない。
【００２６】
このとき、例えば配管挿通部１５が挿通部１９のみにより形成されている場合に冷媒配管１３等を配管する際には、冷媒配管１３等を挿通部１９に差込むようにして配管することになり、冷媒配管１３等に捻れや過度の曲りが発生するときがある。
【００２７】
そこで本発明では、かかる冷媒配管１３等の捻れや過度の曲りを防止し、かつ、容易に配管できるようにするために蓋部１８を設けている。
【００２８】
そして、蓋部１８を取外した状態で、該蓋部１８があった所を横切るようにして冷媒配管１３等を挿通部１９に差込み、その後蓋部１８を取付けるようになっている。
【００２９】
なお、挿通部１９を設けたことにより筐体１６の強度補強のためのリブを設ける場所が問題となる。
【００３０】
即ち、駆動室２１にはモータや制御部等の重量物が配設されているので、リブの形成位置は作用室２０側と駆動室２１側とにそれぞれ１箇所設ける場合が好ましいように考えられる。
【００３１】
しかし、図３からもわかるように駆動室２１の幅は作用室２０に比べ狭く、かつ、右側には筐体１６の側壁２２があり、また左側には挿通部１９の側壁２３があるため強度不足になることはない。
【００３２】
寧ろ、作用室２０の横幅は長く、かつ、両端部が図示しないベアリング等により支持されたクロスフローファン１２が設けられているので、筐体１６が多少でも撓むとクロスフローファン１２の回転が影響を受ける恐れがあるので、作用室２０の上方にリブを設けることが好ましい。
【００３３】
また、室内機１０を据付る際には室内機１０の係合穴２４が見えない状態であるが、据付作業を容易にするためには、この係合穴２４の位置が作業者にわかることが好ましい。
【００３４】
このような観点から本発明では、図４に示すように作用室２０の背面上方にリブ２５（２５ａ，２５ｂ）を設け、かつ、挿通部１９側のリブ２５ｂの端部が蓋部１８の端部と略一致するように設けると共に当該部分に係合穴２４を設けている。
【００３５】
これによりリブ２５が効率的に機能すると共に、蓋部１８の端部位置が係合穴２４の位置となるので室内機１０の据付けが容易になる。
【００３６】
室内機１０の据付けは以下のようにして行う。まず、室内の壁に据付板３０を取付ける。そして、室内機１０の左右下端コーナー部を両手で把持して持上げる。
【００３７】
このとき、室内機１０により据付板３０が見えなくなる直前に、据付板３０の係合爪の位置を確認すると共に、蓋部１８の位置を確認する。蓋部１８の位置は、係合穴２４の位置を示している。
【００３８】
従って、室内機１０の水平バランスを保持しながら係合穴２４の位置が確認できるようになり、係合穴２４と据付板３０の係合爪との位置合せが容易にできるようになる。
【００３９】
このような構成で、室内空気はクロスフローファン１２により吸気口２７から室内機１０に吸気され、冷却用熱交換器１１ａや加熱用熱交換器１１ｂを経ることにより空気調和された後、吐出口２８から再度室内に吹出される。
【００４０】
【発明の効果】
以上説明したように請求項１にかかる発明によれば、作用室と駆動室との境界領域の作用室側であって室内機の背面に室内機の筐体強度を補強するリブの１つを設け、このリブの上端部に据付板の係合爪と係合する係合穴を設けると共に、リブを蓋部の作用室側端部位置に設けたので、容易に室内機を据付板に据付けることができるようになる。
【図面の簡単な説明】
【図１】  本発明の実施の形態の説明に適用される室内機の正面図である。
【図２】  室内機の断面図である。
【図３】  室内機の筐体正面図である。
【図４】  室内機の背面図である。
【図５】  室内機と据付板との位置関係を示す図である。
【図６】  従来の技術の説明に適用される室内機の断面図である。
【図７】  室内機と据付板との位置関係を示す図である。
【符号の説明】
１０  室内機
１１ａ  冷却用熱交換器
１１ｂ  加熱用熱交換器
１２  クロスフローファン
１３  冷媒配管
１４  温水配管
１５  配管挿通部
１６  筐体
１７  上面パネル
１８  蓋部
１９  挿通部
２０  作用室
２１  駆動室
２４  係合穴
２５（２５ａ，２５ｂ）  リブ
【図１】
0003935634.tif 000002
【図２】
0003935634.tif 000003
【図３】
0003935634.tif 000004
【図４】
0003935634.tif 000005
【図５】
0003935634.tif 000006
【図６】
0003935634.tif 000007
【図７】
0003935634.tif 000008